(57)【要約】  【課題】  材料としてポリエステルのような伸び率の大きい樹脂を用いた場合でも、二重の同心円状に突設された円柱状小突起によるスパイク効果が安定的に発揮されるようにしたスナップファスナーを提供する。  【解決手段】  リベット部材と、リベット部材の突起を挿入する貫通孔７が形成された合成樹脂製基板８の表面に雄型又は雌型の嵌合部９が一体成形され、基板裏面には側面視において先端の平坦な円柱状小突起１０ａ，１０ｂが二重の同心円状に突設された嵌合部材１，３とから成り、布状基材の片側から打ち込まれたリベット部材の突起を貫通孔に挿入し、その突出先端部を打撃により拡開変形させることによって嵌合部材を布状基材に取り付けるようにしたスナップファスナーにおいて、二重の同心円状に突設された円柱状小突起１０ａ，１０ｂのうち、外円上に位置する円柱状小突起１０ａを太径にし、内円上に位置する円柱状小突起１０ｂを細径にする。  【選択図】  図１
2006014748.tif 000002
【特許請求の範囲】
【請求項１】
合成樹脂製基板の裏面中央部に断面円形で且つ先鋭な合成樹脂製の突起が一体成形されたリベット部材と、前記突起を挿入する円形で且つ突起の太さと略等しい内径の貫通孔が形成された合成樹脂製基板の表面に前記貫通孔と同芯状に突出した雄型又は雌型の嵌合部が一体成形され、合成樹脂製基板の裏面には側面視において先端が平坦な複数本の円柱状小突起が前記貫通孔を中心として二重の同心円状に突設された嵌合部材とから成り、布状基材の片側から打ち込まれたリベット部材の前記突起を前記貫通孔に挿入し、その突出先端部を打撃により拡開変形させることによって前記嵌合部材を布状基材に取り付けるようにしたスナップファスナーにおいて、二重の同心円状に突設された円柱状小突起のうち、外円上に位置する円柱状小突起を内円上に位置する円柱状小突起より太径に形成したことを特徴とするスナップファスナー。
【請求項２】
内円上に位置する円柱状小突起の先端を外円上に位置する円柱状小突起の先端より高く形成したことを特徴とする請求項１に記載のスナップファスナー。
【請求項３】
外円上に位置する円柱状小突起の先端面を凹入面に形成したことを特徴とする請求項１又は２に記載のスナップファスナー。
【発明の詳細な説明】
【技術分野】
【０００１】
本発明は、合成樹脂製基板の裏面中央部に断面円形で且つ先鋭な合成樹脂製の突起が一体成形されたリベット部材と、前記突起を挿入する円形で且つ突起の太さと略等しい内径の貫通孔が形成された合成樹脂製基板の表面に前記貫通孔と同芯状に突出した雄型又は雌型の嵌合部が一体成形され、合成樹脂製基板の裏面には側面視において先端が平坦な複数本の円柱状小突起が前記貫通孔を中心として二重の同心円状に突設された嵌合部材とから成り、布状基材の片側から打ち込まれたリベット部材の前記突起を前記貫通孔に挿入し、その突出先端部を打撃により拡開変形させることによって前記嵌合部材を布状基材に取り付けるようにしたスナップファスナーに関する。
【背景技術】
【０００２】
この種のスナップファスナーは、特許文献１に記載されている通り、衣服等の生地に対するスパイク効果を発揮させる合成樹脂製基板裏面の小突起が、側面視において先端の平坦な円柱状に形成されているため、小突起を先鋭な形状にした一般的なスナップファスナーに比べると、衣服を面内方向に引っ張る等してスナップファスナーに横方向の力が加わったとき、生地を編成・織成する繊維が小突起を乗り越えにくいという効果がある。
【０００３】
しかしながら、特許文献１に記載のスナップファスナーでは、二重の同心円状に突設された円柱状小突起が全て同一径に形成されていたため、次のような問題点があった。
【０００４】
即ち、円柱状小突起を細径に形成すると、生地に食い込みやすくなるが、衣服を面内方向に引っ張る等してスナップファスナーに横方向の力が加わったとき、生地に食い込んだ円柱状小突起が繊維で横方向に引っ張られることによって変形し、側面が傾斜して、先鋭な形状の小突起と同じような傾斜面となるため、繊維が小突起の先端を乗り越えてしまうことがあり、円柱状小突起が容易に変形しないように太径にすると、先端が平坦な形状であるため、生地に食い込みにくくなるという問題点があった。この現象は、スナップファスナーがポリエステルやＰＢＴ樹脂（ポリブチレンテレフタレート樹脂）のような伸び率の大きい樹脂である場合に特に顕著である。即ち、近年、衣服とスナップファスナーを同一素材にしてリサイクルしやすいように、スナップファスナーをポリエステルやＰＢＴ樹脂で成形することが多くなっており、そのため、上記の現象が顕然化しているのである。
【０００５】
【特許文献１】実開昭５７−４０３０６号公報
【発明の開示】
【発明が解決しようとする課題】
【０００６】
本発明は、上記の事柄に留意して成されたものであって、その目的とするところは、材料樹脂として、ポリエステルやＰＢＴ樹脂（ポリブチレンテレフタレート樹脂）のような伸び率の大きい樹脂を用いた場合でも、二重の同心円状に突設された円柱状小突起によるスパイク効果が安定的に発揮されるようにした高品質のスナップファスナーを提供するにある。
【課題を解決するための手段】
【０００７】
上記の課題を解決するために、本発明が講じた技術的手段は、次の通りである。即ち、請求項１に記載の発明は、合成樹脂製基板の裏面中央部に断面円形で且つ先鋭な合成樹脂製の突起が一体成形されたリベット部材と、前記突起を挿入する円形で且つ突起の太さと略等しい内径の貫通孔が形成された合成樹脂製基板の表面に前記貫通孔と同芯状に突出した雄型又は雌型の嵌合部が一体成形され、合成樹脂製基板の裏面には側面視において先端が平坦な複数本の円柱状小突起が前記貫通孔を中心として二重の同心円状に突設された嵌合部材とから成り、布状基材の片側から打ち込まれたリベット部材の前記突起を前記貫通孔に挿入し、その突出先端部を打撃により拡開変形させることによって前記嵌合部材を布状基材に取り付けるようにしたスナップファスナーにおいて、二重の同心円状に突設された円柱状小突起のうち、外円上に位置する円柱状小突起を内円上に位置する円柱状小突起より太径に形成したことを特徴としている。
【０００８】
請求項１に記載の発明において、二重の同心円状に突設された円柱状小突起は、先端の高さを同一にしてもよく、請求項２に記載の発明のように、内円上に位置する円柱状小突起の先端を外円上に位置する円柱状小突起の先端より高く形成してもよい。
【０００９】
請求項３に記載の発明は、請求項１又は２に記載のスナップファスナーにおいて、外円上に位置する円柱状小突起の先端面を凹入面に形成したことを特徴としている。
【発明の効果】
【００１０】
請求項１に記載した発明の構成によれば、二重の同心円状に突設された円柱状小突起のうち、外円上に位置する円柱状小突起、つまり、衣服を面内方向に引っ張る等してスナップファスナーに横方向の力が加わったとき、最初に大きな力（繊維による横方向への引張力）がかかる外側の円柱状小突起を、内円上に位置する円柱状小突起より太径に形成したので、材料樹脂として、ポリエステルやＰＢＴ樹脂（ポリブチレンテレフタレート樹脂）のような伸び率の大きい樹脂を用いた場合でも、二重の同心円状に突設された円柱状小突起によるスパイク効果が安定的に発揮される。
【００１１】
即ち、内円上に位置する円柱状小突起は細径であるため、先端が平坦であるにもかかわらず生地（布状基材）に食い込みやすく、外円上に位置する円柱状小突起は先端が平坦である上、太径であるため、生地に食い込にくいが、太径であるから横方向から力がかかっても容易に変形しない。従って、内側に位置する細径の円柱状小突起が生地に食い込んだ状態を、外側に位置する太径の円柱状小突起によって保護することになり、安定したスパイク効果が発揮されるのである。
【００１２】
請求項２に記載した発明の構成によれば、内円上に位置する細径の円柱状小突起は、外円上に位置する円柱状小突起よりも背が高いので、生地（布状基材）に一層食い込みやすくなるという効果がある。
【００１３】
請求項３に記載した発明の構成によれば、外円上に位置する太径の円柱状小突起の先端面が凹入面に形成されているので、リベット部材の突起を嵌合部材の貫通孔に挿入し、その突出先端部を打撃により拡開変形させる際、円柱状小突起の先端面に作用する軸方向への押圧力によって円柱状小突起の先端面が外広がりの状態に変形し、この外側への変形部分が繊維に引っ掛かって、繊維の乗り越えに対する抵抗となり、外円上に位置する太径の円柱状小突起のスパイク効果を向上することができる。また、外円上に位置する円柱状小突起は太径であるため、成形用金型の加工による凹入面の形成も容易である。
【発明を実施するための最良の形態】
【００１４】
図１、図２は、合成樹脂製の雌スナップＡ１と合成樹脂製の雄スナップＡ２とから構成されたスナップファスナーを示す。雌スナップＡ１は、雌スナップ用の嵌合部材１と、それを例えば衣服やテープ等の布状基材Ｂ１に取り付けるリベット部材２とから構成され、雄スナップＡ２は、雄スナップ用の嵌合部材３と、それを布状基材Ｂ２に取り付けるリベット部材４とから構成されている。前記嵌合部材１，３及び前記リベット部材２，４の材料樹脂としては、ポリアセタール樹脂やポリエステル樹脂であってもよいが、この例では、ＰＢＴ樹脂（ポリブチレンテレフタレート樹脂）が使用されている。
【００１５】
前記リベット部材２，４は、円盤状をなす合成樹脂製基板５の裏面中央部に断面円形で且つ先鋭な合成樹脂製の突起６を一体成形したものである。
【００１６】
前記嵌合部材３は、図３、図４に示すように、前記リベット部材４の突起６を挿入する円形で且つ突起６の太さと略等しい（例えば、０．１ｍｍ程度大きい）内径の貫通孔７が形成された合成樹脂製基板８の表面に、前記貫通孔７と同芯状に突出した雄型の嵌合部９を一体成形したもので、合成樹脂製基板８の裏面には、側面視において先端が平坦な複数本の円柱状小突起１０ａ，１０ｂが前記貫通孔７を中心として二重の同心円状に突設されている。そして、布状基材Ｂ２の片側から打ち込まれたリベット部材４の前記突起６を前記貫通孔７に挿入し、その突出先端部を打撃により拡開変形させることによって、図１に示すように、布状基材Ｂ２に取り付けるように構成されている。
【００１７】
二重の同心円状に突設された円柱状小突起１０ａ，１０ｂのうち、外円上に位置する円柱状小突起１０は、図４に示すように、内円上に位置する円柱状小突起１０ｂより太径に形成されている。二重の同心円状に突設された円柱状小突起１０ａ，１０ｂの先端は全て同一高さに形成されているが、後述するように、内円上に位置する円柱状小突起１０ｂの先端を外円上に位置する円柱状小突起１０ａの先端より高く形成してもよい。
【００１８】
前記嵌合部材１は、図５、図６に示すように、前記リベット部材２の突起６を挿入する円形で且つ突起６の太さと略等しい（例えば、０．１ｍｍ程度大きい）内径の貫通孔７が形成された合成樹脂製基板８の表面に、前記貫通孔７と同芯状に突出した雌型の嵌合部９を一体成形したもので、合成樹脂製基板８の裏面には、側面視において先端が平坦な複数本の円柱状小突起１０ａ，１０ｂが前記貫通孔７を中心として二重の同心円状に突設されている。そして、布状基材Ｂ１の片側から打ち込まれたリベット部材２の前記突起６を前記貫通孔７に挿入し、その突出先端部を打撃により拡開変形させることによって、図１に示すように、布状基材Ｂ１に取り付けるように構成されている。
【００１９】
二重の同心円状に突設された円柱状小突起１０ａ，１０ｂのうち、外円上に位置する円柱状小突起１０ａは、図６に示すように、内円上に位置する円柱状小突起１０ｂより太径に形成されている。また、図３の例では、二重の同心円状に突設された円柱状小突起１０ａ，１０ｂの先端を全て同一高さに形成したが、この例では、図５に示すように、内円上に位置する円柱状小突起１０ｂの先端を外円上に位置する円柱状小突起１０ａの先端より高く形成してある。
【００２０】
上記の構成によれば、二重の同心円状に突設された円柱状小突起１０ａ，１０ｂのうち、外円上に位置する円柱状小突起１０ａ、つまり、衣服を面内方向に引っ張る等してスナップファスナーに横方向の力が加わったとき、最初に大きな力（繊維による横方向への引張力）がかかる外側の円柱状小突起１０ａを、内円上に位置する円柱状小突起１０ｂより太径に形成したので、材料樹脂として、ポリエステルやＰＢＴ樹脂（ポリブチレンテレフタレート樹脂）のような伸び率の大きい樹脂を用いているにもかかわらず、二重の同心円状に突設された円柱状小突起１０ａ，１０ｂによるスパイク効果が安定的に発揮される。
【００２１】
即ち、内円上に位置する円柱状小突起１０ｂは細径であるため、先端が平坦であるにもかかわらず生地（布状基材）に食い込みやすく、外円上に位置する円柱状小突起１０ａは先端が平坦である上、太径であるため、生地に食い込にくいが、太径であるから横方向から力がかかっても容易に変形しない。従って、内側に位置する細径の円柱状小突起１０ｂが生地に食い込んだ状態を、外側に位置する太径の円柱状小突起１０ａによって保護することになり、安定したスパイク効果が発揮される。
【００２２】
また、雌スナップＡ１についてのみ図示したが、図５に示すように、内円上に位置する細径の円柱状小突起１０ｂの先端を、外円上に位置する円柱状小突起１０ａの先端よりも高く形成すれば、生地（布状基材）に一層食い込みやすくなる。
【００２３】
図７、図８と図９、図１０は、他の実施形態を示す。これらの実施形態は、二重の同心円状に突設された円柱状小突起１０ａ，１０ｂのうち、外円上に位置する太径の円柱状小突起１０ａの先端面を凹入面Ｓに形成した点に特徴がある。
【００２４】
これらの構成によれば、外円上に位置する太径の円柱状小突起１０ａの先端面が凹入面Ｓに形成されているので、リベット部材の突起を嵌合部材の貫通孔に挿入し、その突出先端部を打撃により拡開変形させる際、円柱状小突起１０ａの先端面に作用する軸方向への押圧力によって円柱状小突起１０ａの先端面が外広がりの状態に変形し、この外側への変形部分が繊維に引っ掛かって、繊維の乗り越えに対する抵抗となり、外円上に位置する太径の円柱状小突起１０ａのスパイク効果が向上することになる。また、外円上に位置する円柱状小突起１０ａは太径であるため、成形用金型の加工による凹入面Ｓの形成も容易である。
【００２５】
尚、図７の例では、内円上に位置する細径の円柱状小突起１０ｂの先端を、外円上に位置する太径の円柱状小突起１０ａの先端よりも低くしてあり、図９の例では、内円上に位置する細径の円柱状小突起１０ｂの先端を、外円上に位置する太径の円柱状小突起１０ａの先端よりも高くしてあるが、外円上に位置する太径の円柱状小突起１０ａの先端と内円上に位置する細径の円柱状小突起１０ｂの先端とを同一高さにして実施してもよい。また、図７〜図１０では、雄スナップ用の嵌合部材３についてのみ図示したが、雌スナップ用の嵌合部材１についても同様に実施できる。
【図面の簡単な説明】
【００２６】
【図１】スナップファスナーの縦断側面図である。
【図２】雄スナップの構成部材を説明する斜視図である。
【図３】雄スナップ用の嵌合部材の縦断側面図である。
【図４】雄スナップ用の嵌合部材の底面図である。
【図５】雌スナップ用の嵌合部材の縦断側面図である。
【図６】雌スナップ用の嵌合部材の底面図である。
【図７】他の実施形態を示す嵌合部材の縦断側面図である。
【図８】取付け後の状態における要部の縦断側面図である。
【図９】他の実施形態を示す嵌合部材の縦断側面図である。
【図１０】取付け後の状態における要部の縦断側面図である。
【符号の説明】
【００２７】
１，３  嵌合部材
２，４  リベット部材
５  合成樹脂製基板
６  突起
７  貫通孔
８  合成樹脂製基板
９  嵌合部
１０ａ，１０ｂ  円柱状小突起
【図１】
2006014748.tif 000003
【図２】
2006014748.tif 000004
【図３】
2006014748.tif 000005
【図４】
2006014748.tif 000006
【図５】
2006014748.tif 000007
【図６】
2006014748.tif 000008
【図７】
2006014748.tif 000009
【図８】
2006014748.tif 000010
【図９】
2006014748.tif 000011
【図１０】
2006014748.tif 000012